(57)【特許請求の範囲】
【請求項１】
空気の吸い込みを行い、少なくとも浴室の空気を吸い込む送風手段と、
前記送風手段で吸い込まれる浴室の空気が通る吸込口と、
前記浴室から吸い込む空気の量を調整する風量調整装置を備えた換気装置本体を有し、
前記換気装置本体は浴室の天井に設置され、
前記吸込口は、前記換気装置本体の下面に形成されて前記浴室に面して配置され、
前記風量調整装置は、前記吸込口に設けられ、回転動作で開度が調整される第１の風路調整部材と、
前記第１の風路調整部材と並列して前記吸込口に設けられ、回転動作で開度が調整される第２の風路調整部材と、
前記第１の風路調整部材と前記第２の風路調整部材を駆動するモータを有した駆動部とを備え、
前記駆動部は、前記モータの軸に取り付けられた駆動ギアと、
前記第１の風路調整部材の回転動作の軸に取り付けられ、前記駆動ギアとかみ合う第１のギアと、
前記第１の風路調整部材の回転動作の前記軸と異なる前記第２の風路調整部材の回転動作の軸に取り付けられ、前記第１のギアとかみ合う第２のギアとを備え、
前記第１のギアと前記第２のギアがかみ合うことで、前記第１の風路調整部材と前記第２の風路調整部材が逆向きに回転動作することにより、閉位置から開位置に移動する動作で、前記第１の風路調整部材の先端部と前記第２の風路調整部材の先端部との先端間距離Ａの移動量は、開度が小さい開き始めでは少なく、開度が大きくなってくると大きくなり、前記第１の風路調整部材及び前記第２の風路調整部材と、前記吸込口の先端間距離Ｂは、開き始めから一定の割合で変化し、先端間距離Ａ＜先端間距離Ｂの関係となる
ことを特徴とする浴室換気装置。
【請求項２】
前記第１のギアは、前記駆動ギアに対して所定の減速比で駆動力が伝達され、前記第１のギアと前記第２のギアは、同速で駆動力が伝達される
ことを特徴とする請求項１記載の浴室換気装置。
【発明の詳細な説明】
【技術分野】
【０００１】
本発明は、空気の吸込口に設置される風量調整装置を備えた浴室換気装置に関する。
【背景技術】
【０００２】
従来より、浴室等から空気を吸い込み、屋外へ排出する換気機能と、浴室等から空気を吸い込み、温風等を吹き出して暖房等を行う機能を備えた浴室用の換気装置が提案されている。
【０００３】
このような浴室用の換気装置は、浴室の天井に設置され、空気の吸込口や吹出口は浴室に面して配置される。そして、換気を行わない暖房時等に、浴室内の空気が漏れないようにするため、また、換気風量を調整するため、換気用のファンへの空気の吸込口に開閉可能なダンパを備えている（例えば、特許文献１参照）。
【０００４】
また、２枚のダンパをギアで連動させて開閉する技術が提案されている（例えば、特許文献２参照）。
【先行技術文献】
【特許文献】
【０００５】
【特許文献１】特開２００４−１２５３７３号公報
【特許文献２】特許第３９７９１９９号公報
【発明の概要】
【発明が解決しようとする課題】
【０００６】
浴室用の換気装置は、浴室の空気を吸い込むため、空気中の各種成分が吸込口等に付着する場合がある。このため、空気中の成分に粘着性があるような場合、停止位置にあるダンパが固着し、吸込口を開閉できなくなるという問題がある。
【０００７】
また、２枚のダンパをギアで連動させて、同じ方向に回転させて開閉する構成では、ダンパと吸込口の固着の剥離に要する力と、ダンパ同士の固着の剥離に要する力が集中し、負荷が大きくなるという問題がある。
【０００８】
本発明は、このような課題を解決するためになされたもので、空気の吸込口を開閉する風路調整部材の固着を確実に剥離できるようにした風量調整装置を備えた浴室換気装置を提供することを目的とする。
【課題を解決するための手段】
【００１０】
上述した課題を解決するため、本発明は、空気の吸い込みを行い、少なくとも浴室の空気を吸い込む送風手段と、送風手段で吸い込まれる浴室の空気が通る吸込口と、浴室から吸い込む空気の量を調整する風量調整装置を備えた換気装置本体を有し、換気装置本体は浴室の天井に設置され、吸込口は、換気装置本体の下面に形成されて浴室に面して配置され、風量調整装置は、吸込口に設けられ、回転動作で開度が調整される第１の風路調整部材と、第１の風路調整部材と並列して吸込口に設けられ、回転動作で開度が調整される第２の風路調整部材と、第１の風路調整部材と第２の風路調整部材を駆動するモータを有した駆動部とを備え、駆動部は、モータの軸に取り付けられた駆動ギアと、第１の風路調整部材の回転動作の軸に取り付けられ、駆動ギアとかみ合う第１のギアと、第１の風路調整部材の回転動作の軸と異なる第２の風路調整部材の回転動作の軸に取り付けられ、第１のギアとかみ合う第２のギアとを備え、第１のギアと第２のギアがかみ合うことで、第１の風路調整部材と第２の風路調整部材が逆向きに回転動作することにより、閉位置から開位置に移動する動作で、第１の風路調整部材の先端部と第２の風路調整部材の先端部との先端間距離Ａの移動量は、開度が小さい開き始めでは少なく、開度が大きくなってくると大きくなり、第１の風路調整部材及び第２の風路調整部材と、吸込口の先端間距離Ｂは、開き始めから一定の割合で変化し、先端間距離Ａ＜先端間距離Ｂの関係となる浴室換気装置である。
【００１１】
本発明では、第１の風路調整部材と第２の風路調整部材が、逆向きの回転動作で風路開口部を開閉する。これにより、第１の風路調整部材及び第２の風路調整部材と風路開口部の間で固着を剥離する動作での負荷のピークと、第１の風路調整部材と第２の風路調整部材の間で固着を剥離する動作での負荷のピークをずらすことができる。
【発明の効果】
【００１２】
本発明によれば、第１の風路調整部材と第２の風路調整部材を開く動作で、動き出し時に必要な力のピークを分散させることができ、確実に固着を剥離できると共に、負荷を軽減できる。
【図面の簡単な説明】
【００１３】
【図１】本実施の形態の換気装置の一例を示す構成図である。
【図２】本実施の形態の換気装置の設置例を示す構成図である。
【図３】本実施の形態の風量調整装置の一例を示す側面図である。
【図４】本実施の形態の風量調整装置の一例を示す平面図である。
【図５】吸込口開閉ダンパの変位を示す動作説明図である。
【図６】粘着物に掛かる応力と歪みの関係を示すグラフである。
【図７】本実施の形態におけるダンパ開度と距離及び応力の関係を示すグラフである。
【図８】比較例におけるダンパ開度と距離及び応力の関係を示すグラフである。
【発明を実施するための形態】
【００１４】
以下、図面を参照して、本発明の浴室換気装置である換気装置の実施の形態について説明する。
【００１５】
＜本実施の形態の換気装置の構成例＞
図１は、本実施の形態の換気装置の一例を示す構成図、図２は、本実施の形態の換気装置の設置例を示す構成図で、本実施の形態の換気装置の一例として、浴室換気乾燥暖房装置について説明する。
【００１６】
換気装置１Ａは、本例では浴室１００に設置される浴室換気乾燥暖房装置であり、空気を吸い込んで循環させる循環ファン１１と、空気を吸い込んで排気する換気ファン１２を備える。循環ファン１１は送風手段の一例で、回転軸の向きを鉛直方向として循環ファンモータ１１Ｍに取り付けられ、循環ファン１１の接線方向に沿った風路を形成する循環ファンケース１１ａ内に配置される。
【００１７】
本体部１０の下面には、循環ファン１１の軸方向に沿った循環ファンケース１１ａの下面に循環ファン吸込口１１ｂが形成され、循環ファン１１の接線方向に沿った風路とつながる循環ファン吹出口１１ｃが形成される。
【００１８】
循環ファンモータ１１Ｍにより循環ファン１１が回転駆動されると、循環ファン吸込口１１ｂから空気が吸い込まれ、循環ファン吸込口１１ｂから吸い込まれた空気が、循環ファン吹出口１１ｃから吹き出される。
【００１９】
換気装置１Ａは、ヒータ１０Ｈを備える。ヒータ１０Ｈは加熱手段の一例で、例えばＰＴＣヒータが用いられ、循環ファン吹出口１１ｃの近傍に取り付けられる。これにより、循環ファン１１を回転駆動すると共にヒータ１０Ｈに通電すると、循環ファン吹出口１１ｃから温風が吹き出す。
【００２０】
換気ファン１２は送風手段の一例で、回転軸の向きを鉛直方向として換気ファンモータ１２Ｍに取り付けられ、換気ファン１２の接線方向に沿った風路を形成する換気ファンケース１２ａ内に配置される。
【００２１】
換気ファンケース１２ａの上面には、換気ファン１２の軸方向に沿った上側に換気ファン吸込口１２ｂが形成され、換気ファンケース１２ａの側面には、換気ファン１２の接線方向に沿った風路とつながる換気ファン吹出口１２ｃが形成される。
【００２２】
換気ファンモータ１２Ｍにより換気ファン１２が回転駆動されると、換気ファン吸込口１２ｂから空気が吸い込まれ、換気ファン吸込口１２ｂから吸い込まれた空気が、換気ファン吹出口１２ｃから吹き出される。
【００２３】
換気装置１Ａの本体部１０は、循環ファンケース１１ａと換気ファンケース１２ａが収容される本体ケース１３を備える。本体ケース１３は、例えば鉄等の金属で構成され、循環ファンケース１１ａの上側に換気ファンケース１２ａが重なる形態で取り付けられる。
【００２４】
換気装置１Ａは、本体ケース１３の一の側面に、換気ファン吹出口１２ｃとつながる排気口１３ＥＡが形成され、排気口１３ＥＡに排気ダクトジョイント１４ＥＡが取り付けられる。
【００２５】
また、換気装置１Ａは、本体ケース１３の他の側面に、本体ケース１３の内側で循環ファンケース１１ａ及び換気ファンケース１２ａの上側に形成される風路により換気ファン吸込口１２ｂと繋がる１個または２個の副吸込口１３ＢＡが形成され、副吸込口１３ＢＡに副吸込ダクトジョイント１４ＢＡが取り付けられる。
【００２６】
換気装置１Ａは、換気ファンケース１２ａの側部に形成された風路により、換気ファン吸込口１２ｂとつながる換気吸込口１５ＥＡが、本体部１０の下面に形成され、換気吸込口１５ＥＡを開閉する風量調整装置１６Ａを備える。
【００２７】
風量調整装置１６Ａは、換気吸込口１５ＥＡを開閉する第１の吸込口開閉ダンパ１６ＥＡ１と、第１の吸込口開閉ダンパ１６ＥＡ１と並列して配置され、換気吸込口１５ＥＡを開閉する第２の吸込口開閉ダンパ１６ＥＡ２と、第１の吸込口開閉ダンパ１６ＥＡ１及び第２の吸込口開閉ダンパ１６ＥＡ２を駆動するダンパモータ１６Ｍを有したダンパ駆動部２０Ａを備える。
【００２８】
風量調整装置１６Ａは、ダンパモータ１６Ｍに駆動される第１の吸込口開閉ダンパ１６ＥＡ１と第２の吸込口開閉ダンパ１６ＥＡ２で換気吸込口１５ＥＡを閉じると、図２に示す浴室１００からの空気の吸い込みが停止される。
【００２９】
また、風量調整装置１６Ａは、第１の吸込口開閉ダンパ１６ＥＡ１と第２の吸込口開閉ダンパ１６ＥＡ２で換気吸込口１５ＥＡを開くと、浴室１００から空気が吸い込まれ、第１の吸込口開閉ダンパ１６ＥＡ１と第２の吸込口開閉ダンパ１６ＥＡ２の開度を調整することで、浴室１００から吸い込まれる空気の量が調整される。
【００３０】
換気装置１Ａは、本体部１０の下面にフロントパネル１７が着脱可能に取り付けられる。フロントパネル１７は、循環ファン吸込口１１ｂ及び換気吸込口１５ＥＡと対向して吸込口グリル１７ａが形成され、循環ファン吹出口１１ｃと対向して吹出口グリル１７ｂが形成される。
【００３１】
換気装置１Ａは、図２に示すように、本体部１０に取り付けられたフロントパネル１７が、浴室１００の天井パネル１０１に露出する形態で、本体部１０が天井パネル１０１に設置される。
【００３２】
また、換気装置１Ａは、排気ダクトジョイント１４ＥＡに排気ダクト１８ＥＡが接続される。更に、換気装置５は、副吸込ダクトジョイント１４ＢＡに副吸込ダクト１８ＢＡが接続される。
【００３３】
換気装置１Ａは、図示しない建物の外壁に、排気ダクト１８ＥＡに接続される屋外グリル１９ＥＡが設置される。また、換気装置１Ａは、浴室１００に隣接した洗面脱衣室１１０に、副吸込ダクト１８ＢＡに接続される副吸込グリル１９ＢＡが設置される。なお、トイレ等の図示しない他室に、副吸込ダクトに接続される副吸込グリルが設置されていても良い。
【００３４】
＜本実施の形態の風量調整装置の構成例＞
図３は、本実施の形態の風量調整装置の一例を示す側面図、図４は、本実施の形態の風量調整装置の一例を示す平面図であり、次に、換気装置１Ａに取り付けられる風量調整装置の詳細について説明する。
【００３５】
本実施の形態の風量調整装置１６Ａは、上述したように、換気吸込口１５ＥＡを開閉する第１の吸込口開閉ダンパ１６ＥＡ１及び第２の吸込口開閉ダンパ１６ＥＡ２と、第１の吸込口開閉ダンパ１６ＥＡ１及び第２の吸込口開閉ダンパ１６ＥＡ２を駆動するダンパ駆動部２０Ａを備える。
【００３６】
換気吸込口１５ＥＡは風路開口部の一例で、ダンパフレーム３０Ａに所定の形状の開口を形成して構成される。ダンパフレーム３０Ａは、換気吸込口１５ＥＡが形成される風路形成枠部３１Ａと、ダンパ駆動部２０Ａが実装される実装部３２Ａを備える。ダンパフレーム３０Ａは、所定の樹脂材料で一体に成型された部品、または、所定の樹脂材料で成型された部品の組み合わせで構成される。
【００３７】
風路形成枠部３１Ａは、空気が通る方向に沿って所定の高さを有し、風路形成枠部３１Ａに囲まれた空間で換気吸込口１５ＥＡが形成される。実装部３２Ａは、風路形成枠部３１Ａの対向する側面部３３の一方の外側に、換気吸込口１５ＥＡと独立した空間を設けて構成される。
【００３８】
第１の吸込口開閉ダンパ１６ＥＡ１及び第２の吸込口開閉ダンパ１６ＥＡ２は風路調整部材の一例で、２枚のダンパで換気吸込口１５ＥＡの形状に合わせた平板状の部品で構成される。第１の吸込口開閉ダンパ１６ＥＡ１及び第２の吸込口開閉ダンパ１６ＥＡ２は、所定の樹脂材料で一体に成型された部品、または、所定の樹脂材料で成型された部品の組み合わせで構成される。
【００３９】
第１の吸込口開閉ダンパ１６ＥＡ１は、換気吸込口１５ＥＡを開閉する回転動作の支点となる軸１６ａを備える。第１の吸込口開閉ダンパ１６ＥＡ１は、ダンパフレーム３０Ａの対向する側面部３３に形成された軸受部３４ａに軸１６ａが支持され、軸１６ａを支点とした回転動作で換気吸込口１５ＥＡを開閉する。
【００４０】
第２の吸込口開閉ダンパ１６ＥＡ２は、換気吸込口１５ＥＡを開閉する回転動作の支点となる軸１６ｂを備える。第２の吸込口開閉ダンパ１６ＥＡ２は、ダンパフレーム３０Ａの側面部３３に形成された軸受部３４ｂに軸１６ｂが支持され、軸１６ｂを支点とした回転動作で換気吸込口１５ＥＡを開閉する。
【００４１】
ダンパ駆動部２０Ａは、ダンパモータ１６Ｍと、ダンパモータ１６Ｍの駆動軸に取り付けられた駆動ギア２１と、第１の吸込口開閉ダンパ１６ＥＡ１の軸１６ａに取り付けられた第１のダンパギア２２Ａと、第２の吸込口開閉ダンパ１６ＥＡ２の軸１６ｂに取り付けられた第２のダンパギア２２Ｂを備える。
【００４２】
ダンパモータ１６Ｍは、本例ではステッピングモータであり、ダンパフレーム３０Ａの実装部３２Ａに取り付けられる。なお、ダンパフレーム３０Ａにおいて、ダンパモータ１６Ｍが取り付けられる部位の実装部３２Ａは、風路形成枠部３１Ａ側の突出する構成とすることで、ダンパフレーム３０Ａの外側方向にダンパモータ１６Ｍが突出しない構成としてあり、風量調整装置の小型化が図られる。
【００４３】
第１のダンパギア２２Ａは、実装部３２Ａに突出した第１の吸込口開閉ダンパ１６ＥＡ１の一方の軸１６ａに取り付けられ、駆動ギア２１とかみ合う。第１のダンパギア２２Ａは、駆動ギア２１に対して大径で歯数の多いギアで、駆動ギア２１と第１のダンパギア２２Ａの組み合わせで所定の減速比を得る構成である。そして、第１のダンパギア２２Ａは、第１の吸込口開閉ダンパ１６ＥＡ１の回転動作角度に応じた半円形状等の円弧の一部で構成され、占有面積の小型化が図られる。
【００４４】
第２のダンパギア２２Ｂは、実装部３２Ａに突出した第２の吸込口開閉ダンパ１６ＥＡ２の一方の軸１６ｂに取り付けられ、第１のダンパギア２２Ａとかみ合う。第２のダンパギア２２Ｂは、第１のダンパギア２２Ａと同径で同じ歯数のギアで、第１のダンパギア２２Ａと第２のダンパギア２２Ｂの組み合わせで回転方向を逆転させる構成である。第２のダンパギア２２Ｂは、第２の吸込口開閉ダンパ１６ＥＡ２の回転動作角度に応じた半円形状等の円弧の一部で構成され、占有面積の小型化が図られる。
【００４５】
ダンパモータ１６Ｍが回転すると、ダンパモータ１６Ｍの駆動力が第１のダンパギア２２Ａに伝達され、第１の吸込口開閉ダンパ１６ＥＡ１が軸１６ａを支点に回転する。また、第１のダンパギア２２Ａが回転することで、ダンパモータ１６Ｍの駆動力が第１のダンパギア２２Ａを介して第２のダンパギア２２Ｂに伝達され、第２の吸込口開閉ダンパ１６ＥＡ２が軸１６ｂを支点に回転する。
【００４６】
これにより、第１の吸込口開閉ダンパ１６ＥＡ１及び第２の吸込口開閉ダンパ１６ＥＡ２で換気吸込口１５ＥＡを閉じる閉位置から、換気吸込口１５ＥＡを開く開位置まで、第１の吸込口開閉ダンパ１６ＥＡ１及び第２の吸込口開閉ダンパ１６ＥＡ２の連動した逆方向への回転動作で、換気吸込口１５ＥＡが開閉される。
【００４７】
風量調整装置１６Ａは、第１のダンパギア２２Ａに形成された突き当て部２３が突き当てられる突き当て突部２５を実装部３２Ａに備える。突き当て突部２５は、換気吸込口１５ＥＡを閉じる閉位置まで第１の吸込口開閉ダンパ１６ＥＡ１及び第２の吸込口開閉ダンパ１６ＥＡ２を回転させると、第１のダンパギア２２Ａの突き当て部２３が突き当てられる位置に形成される。これにより、閉位置まで回転させた第１の吸込口開閉ダンパ１６ＥＡ１及び第２の吸込口開閉ダンパ１６ＥＡ２の位置が規制される。
【００４８】
＜本実施の形態の換気装置の動作例＞
次に、各図を参照して、本実施の形態の換気装置及び風量調整装置の動作例について説明する。換気装置１Ａは、フロントパネル１７から本体部１０に空気を吸い込み、吸い込んだ空気をフロントパネル１７から吹き出す機能、フロントパネル１７から吹き出す空気を加熱する機能、及び、フロントパネル１７及び副吸込グリル１９ＢＡから副吸込ダクト１８ＢＡを通して本体部１０に吸い込んだ空気を、排気ダクト１８ＥＡへ吹き出す機能を有する。
【００４９】
これにより、換気装置１Ａは、浴室１００の空気をフロントパネル１７から本体部１０に吸い込み、ヒータ１０Ｈに通電して加熱した空気をフロントパネル１７から浴室１００に吹き出すことで、浴室１００に温風を吹き出す暖房モードが実行される。
【００５０】
また、換気装置１Ａは、フロントパネル１７から本体部１０に吸い込んだ浴室１００の空気、及び、副吸込グリル１９ＢＡから副吸込ダクト１８ＢＡを通して本体部１０に吸い込んだ他室の空気を、排気ダクト１８ＥＡを通して屋外グリル１９ＥＡから屋外に排気することで、浴室１００等の空気を排気する換気モードが実行される。
【００５１】
更に、換気装置１Ａは、浴室１００内の空気を循環させながら、ヒータ１０Ｈに通電して温風を吹き出す動作と、浴室１００内の空気を排気する動作を行うことで、衣類や浴室１００等を乾燥させる乾燥モードが実行される。また、ヒータ１０Ｈに通電せずに浴室１００内の空気を循環させながら浴室１００内の空気を排気する動作を行うことで、夏場の入浴時等を涼しくする涼風モードが実行される。
【００５２】
暖房モードでは、ヒータ１０Ｈに通電すると共に、循環ファンモータ１１Ｍを駆動する。また、第１の吸込口開閉ダンパ１６ＥＡ１及び第２の吸込口開閉ダンパ１６ＥＡ２を回転動作で閉位置に移動させて換気吸込口１５ＥＡを閉じ、換気ファンモータ１２Ｍを駆動する。
【００５３】
風量調整装置１６Ａの第１の吸込口開閉ダンパ１６ＥＡ１及び第２の吸込口開閉ダンパ１６ＥＡ２を閉じる動作では、ダンパモータ１６Ｍが矢印ａ１方向に回転すると、駆動ギア２１とかみ合う第１のダンパギア２２Ａが、駆動ギア２１の回転方向と逆向きの矢印ｂ１方向に回転する。
【００５４】
第１のダンパギア２２Ａが矢印ｂ１方向に回転すると、第１のダンパギア２２Ａとかみ合う第２のダンパギア２２Ｂが、第１のダンパギア２２Ａの回転方向と逆向きの矢印ｃ１方向に回転する。よって、第１の吸込口開閉ダンパ１６ＥＡ１と第２の吸込口開閉ダンパ１６Ｅ２は、逆向きに回転しながら、換気吸込口５１ＥＡを閉じる。
【００５５】
これにより、フロントパネル１７の吸込口グリル１７ａから、浴室１００の空気が循環ファン１１で吸い込まれ、循環ファン１１で吸い込まれた空気がヒータ１０Ｈで加熱されて、フロントパネル１７の吹出口グリル１７ｂから、浴室１００に温風が吹き出される。
【００５６】
また、洗面脱衣室１１０に設置した副吸込グリル１９ＢＡから、副吸込ダクト１８ＢＡを通して他室の空気が換気ファン１２で吸い込まれ、排気ダクト１８ＥＡを通して屋外グリル１９ＥＡから屋外に排気される。
【００５７】
暖房モードでは、換気吸込口１５ＥＡを第１の吸込口開閉ダンパ１６ＥＡ１及び第２の吸込口開閉ダンパ１６ＥＡ２で閉じていることで、フロントパネル１７の吸込口グリル１７ａから、換気ファン１２で浴室１００の空気は吸い込まれず、暖められた浴室１００内の空気が排気されないようにしている。
【００５８】
換気モードでは、第１の吸込口開閉ダンパ１６ＥＡ１及び第２の吸込口開閉ダンパ１６ＥＡ２を回転動作で開位置に移動させて換気吸込口１５ＥＡを開き、換気ファンモータ１２Ｍを駆動する。循環ファンモータ１１Ｍは駆動しない。
【００５９】
風量調整装置１６Ａの第１の吸込口開閉ダンパ１６ＥＡ１及び第２の吸込口開閉ダンパ１６ＥＡ２を開く動作では、ダンパモータ１６Ｍが矢印ａ２方向に回転すると、駆動ギア２１とかみ合う第１のダンパギア２２Ａが、駆動ギア２１の回転方向と逆向きの矢印ｂ２方向に回転する。
【００６０】
第１のダンパギア２２Ａが矢印ｂ２方向に回転すると、第１のダンパギア２２Ａとかみ合う第２のダンパギア２２Ｂが、第１のダンパギア２２Ａの回転方向と逆向きの矢印ｃ２方向に回転する。よって、第１の吸込口開閉ダンパ１６ＥＡ１と第２の吸込口開閉ダンパ１６Ｅ２は、逆向きに回転しながら、換気吸込口５１ＥＡを開く。
【００６１】
これにより、フロントパネル１７の吸込口グリル１７ａから、浴室１００の空気が換気ファン１２で吸い込まれ、排気ダクト１８ＥＡを通して屋外グリル１９ＥＡから屋外に排気される。また、副吸込グリル１９ＢＡから、副吸込ダクト１８ＢＡを通して他室の空気が換気ファン１２で吸い込まれ、排気ダクト１８ＥＡを通して屋外グリル１９ＥＡから屋外に排気される。
【００６２】
乾燥モードでは、ヒータ１０Ｈに通電すると共に、循環ファンモータ１１Ｍを駆動する。また、第１の吸込口開閉ダンパ１６ＥＡ１及び第２の吸込口開閉ダンパ１６ＥＡ２を開位置に移動させて換気吸込口１５ＥＡを開き、換気ファンモータ１２Ｍを駆動する。
【００６３】
これにより、フロントパネル１７の吸込口グリル１７ａから、浴室１００の空気が循環ファン１１で吸い込まれ、循環ファン１１で吸い込まれた空気がヒータ１０Ｈで加熱されて、フロントパネル１７の吹出口グリル１７ｂから、浴室１００に温風が吹き出される。
【００６４】
また、フロントパネル１７の吸込口グリル１７ａから、浴室１００の空気が換気ファン１２で吸い込まれ、排気ダクト１８ＥＡを通して屋外グリル１９ＥＡから屋外に排気される。更に、洗面脱衣室１１０に設置した副吸込グリル１９ＢＡから、副吸込ダクト１８ＢＡを通して他室の空気が換気ファン１２で吸い込まれ、排気ダクト１８ＥＡを通して屋外グリル１９ＥＡから屋外に排気される。
【００６５】
涼風モードでは、ヒータ１０Ｈに通電せずに、循環ファンモータ１１Ｍを駆動する。また、第１の吸込口開閉ダンパ１６ＥＡ１及び第２の吸込口開閉ダンパ１６ＥＡ２を開位置に移動させて換気吸込口１５ＥＡを開き、換気ファンモータ１２Ｍを駆動する。
【００６６】
これにより、フロントパネル１７の吸込口グリル１７ａから浴室１００の空気が循環ファン１１で吸い込まれ、循環ファン１１で吸い込まれた空気が、フロントパネル１７の吹出口グリル１７ｂから浴室１００に吹き出される。
【００６７】
また、フロントパネル１７の吸込口グリル１７ａから、浴室１００の空気が換気ファン１２で吸い込まれ、排気ダクト１８ＥＡを通して屋外グリル１９ＥＡから屋外に排気される。更に、洗面脱衣室１１０に設置した副吸込グリル１９ＢＡから、副吸込ダクト１８ＢＡを通して他室の空気が換気ファン１２で吸い込まれ、排気ダクト１８ＥＡを通して屋外グリル１９ＥＡから屋外に排気される。
【００６８】
さて、上述した換気モード、乾燥モード及び涼風モードでは、第１の吸込口開閉ダンパ１６ＥＡ１及び第２の吸込口開閉ダンパ１６ＥＡ２を開位置に移動させて換気吸込口１５ＥＡを開くことで、浴室１００内の空気が換気吸込口１５ＥＡから吸い込まれる。
【００６９】
これにより、水分を含んだ空気が換気吸込口１５ＥＡから吸い込まれる。また、浴室１００や洗面脱衣室１１０で、入浴剤やヘアスプレー等が使用された場合、その成分を含む空気が換気吸込口１５ＥＡから吸い込まれる。
【００７０】
水分等を含む空気が換気吸込口１５ＥＡから吸い込まれると、第１の吸込口開閉ダンパ１６ＥＡ１及び第２の吸込口開閉ダンパ１６ＥＡ２と、換気吸込口１５ＥＡの内面等に、カルキ等の粘着性のある成分が付着する。
【００７１】
閉位置に移動した第１の吸込口開閉ダンパ１６ＥＡ１と第２の吸込口開閉ダンパ１６Ｅ２は、第１の吸込口開閉ダンパ１６ＥＡ１の一方の端部がダンパフレーム３０Ａの風路形成枠部３１Ａと対向し、第２の吸込口開閉ダンパ１６ＥＡ２の一方の端部がダンパフレーム３０Ａの風路形成枠部３１Ａと対向する。また、第１の吸込口開閉ダンパ１６ＥＡ１と第２の吸込口開閉ダンパ１６Ｅ２の他方の端部同士が対向する。
【００７２】
このため、第１の吸込口開閉ダンパ１６ＥＡ１と第２の吸込口開閉ダンパ１６Ｅ２を閉位置に移動させると、第１の吸込口開閉ダンパ１６ＥＡ１及び第２の吸込口開閉ダンパ１６ＥＡ２と換気吸込口１５ＥＡの隙間、第１の吸込口開閉ダンパ１６ＥＡ１と第２の吸込口開閉ダンパ１６ＥＡ２の隙間等に、粘着成分が付着する場合がある。
【００７３】
第１の吸込口開閉ダンパ１６ＥＡ１及び第２の吸込口開閉ダンパ１６ＥＡ２と換気吸込口１５ＥＡの隙間、第１の吸込口開閉ダンパ１６ＥＡ１と第２の吸込口開閉ダンパ１６ＥＡ２の隙間等に粘着成分等が付着した状態で、第１の吸込口開閉ダンパ１６ＥＡ１及び第２の吸込口開閉ダンパ１６ＥＡ２を回転動作で開くと、固着を剥離するために力が必要となる。
【００７４】
そこで、第１の吸込口開閉ダンパ１６ＥＡ１と第２の吸込口開閉ダンパ１６Ｅ２を、逆向きの回転動作で換気吸込口５１ＥＡを開く構成とすることで、第１の吸込口開閉ダンパ１６ＥＡ１及び第２の吸込口開閉ダンパ１６ＥＡ２と換気吸込口１５ＥＡの間で固着を剥離する動作での負荷のピークと、第１の吸込口開閉ダンパ１６ＥＡ１と第２の吸込口開閉ダンパ１６ＥＡ２の間で固着を剥離する動作での負荷のピークをずらす。
【００７５】
図５は、吸込口開閉ダンパの変位を示す動作説明図である。第１の吸込口開閉ダンパ１６ＥＡ１と第２の吸込口開閉ダンパ１６Ｅ２の回転方向が異なると、第１の吸込口開閉ダンパ１６ＥＡ１と第２の吸込口開閉ダンパ１６ＥＡ２の先端間距離Ａは、図６にＸ方向で示す水平方向に開く。これに対し、第１の吸込口開閉ダンパ１６ＥＡ１及び第２の吸込口開閉ダンパ１６ＥＡ２と換気吸込口１５ＥＡの先端間距離Ｂは、図６にＸ方向で示す水平成分とＹ方向で示す垂直成分が合成した斜め方向に開く。
【００７６】
第１の吸込口開閉ダンパ１６ＥＡ１と第２の吸込口開閉ダンパ１６Ｅ２において、軸から先端までの距離をｒ、ダンパの開度をθとすると、第１の吸込口開閉ダンパ１６ＥＡ１と第２の吸込口開閉ダンパ１６ＥＡ２の先端間距離Ａは、以下の（１）式で表される。また、第１の吸込口開閉ダンパ１６ＥＡ１及び第２の吸込口開閉ダンパ１６ＥＡ２と換気吸込口１５ＥＡの先端間距離Ｂは、以下の（２）式で表される。
Ａ＝２ｒ（１−ｃｏｓθ）・・・（１）
Ｂ＝２ｒｓｉｎθ／２・・・（２）
【００７７】
第１の吸込口開閉ダンパ１６ＥＡ１と第２の吸込口開閉ダンパ１６Ｅ２の回転方向が異なると、全閉位置から開位置に移動する動作で、第１の吸込口開閉ダンパ１６ＥＡ１と第２の吸込口開閉ダンパ１６Ｅ２の先端間距離Ａの移動量は、開度θが小さい開き始めでは少なく、開度θが大きくなってくると、先端間距離Ａの移動量が大きくなる。
【００７８】
一方、第１の吸込口開閉ダンパ１６ＥＡ１及び第２の吸込口開閉ダンパ１６Ｅ２と、換気吸込口１５ＥＡの先端間距離Ｂは、開き始めから一定の割合で変化し、先端間距離Ａ＜先端間距離Ｂの関係が成り立つ。
【００７９】
図６は、粘着物に掛かる応力と歪みの関係を示すグラフである。浴室内の空気中に含まれる粘着物では、引っ張りによる応力と歪みは略正比例の関係であり、図６の例では、２ｍｍ程度まで引き伸ばされると破断することが判る。
【００８０】
このため、第１の吸込口開閉ダンパ１６ＥＡ１と第２の吸込口開閉ダンパ１６Ｅ２を開く動作では、第１の吸込口開閉ダンパ１６ＥＡ１と第２の吸込口開閉ダンパ１６ＥＡ２の先端間距離Ａと、第１の吸込口開閉ダンパ１６ＥＡ１及び第２の吸込口開閉ダンパ１６ＥＡ２と換気吸込口１５ＥＡの先端間距離Ｂが徐々に広がる過程で、ダンパ駆動部２０Ａに掛かる負荷が増大する。
【００８１】
図７は、本実施の形態におけるダンパ開度と距離及び応力の関係を示すグラフである。第１の吸込口開閉ダンパ１６ＥＡ１と第２の吸込口開閉ダンパ１６Ｅ２の回転方向が異なると、先端間距離Ａ＜先端間距離Ｂの関係が成り立つ。
【００８２】
これにより、第１の吸込口開閉ダンパ１６ＥＡ１と第２の吸込口開閉ダンパ１６ＥＡ２が全閉位置から開く動作で、開度θが小さい開き始めの開度α１の領域では、第１の吸込口開閉ダンパ１６ＥＡ１及び第２の吸込口開閉ダンパ１６ＥＡ２と換気吸込口１５ＥＡの先端間距離Ｂの増加量に対し、第１の吸込口開閉ダンパ１６ＥＡ１と第２の吸込口開閉ダンパ１６ＥＡ２の先端間距離Ａの増加量が少ない。
【００８３】
従って、開度α１の領域では、第１の吸込口開閉ダンパ１６ＥＡ１及び第２の吸込口開閉ダンパ１６ＥＡ２と、換気吸込口１５ＥＡの間で発生する粘着応力は徐々に大きくなるが、第１の吸込口開閉ダンパ１６ＥＡ１と第２の吸込口開閉ダンパ１６ＥＡ２の間で発生する粘着応力は小さく、増加量も少ない。
【００８４】
よって、第１の吸込口開閉ダンパ１６ＥＡ１及び第２の吸込口開閉ダンパ１６ＥＡ２と換気吸込口１５ＥＡの先端間距離Ｂが増加して固着が剥離する過程では、粘着応力の和は低く抑えられる。
【００８５】
第１の吸込口開閉ダンパ１６ＥＡ１と第２の吸込口開閉ダンパ１６ＥＡ２が開く動作で、第１の吸込口開閉ダンパ１６ＥＡ１及び第２の吸込口開閉ダンパ１６ＥＡ２と換気吸込口１５ＥＡの間の固着が剥離した後の開度α２の領域では、第１の吸込口開閉ダンパ１６ＥＡ１と第２の吸込口開閉ダンパ１６ＥＡ２の先端間距離Ａの移動量が増加する。
【００８６】
これにより、第１の吸込口開閉ダンパ１６ＥＡ１と第２の吸込口開閉ダンパ１６ＥＡ２の間の固着が剥離する。
【００８７】
従って、第１の吸込口開閉ダンパ１６ＥＡ１及び第２の吸込口開閉ダンパ１６ＥＡ２と換気吸込口１５ＥＡの間で固着を剥離する動作での負荷のピークと、第１の吸込口開閉ダンパ１６ＥＡ１と第２の吸込口開閉ダンパ１６ＥＡ２の間で固着を剥離する動作での負荷のピークをずらすことができ、固着が発生しているような場合に、これを確実に剥離できる。また、ダンパ駆動部２０Ａに掛かる負荷が軽減され、装置の長寿命化を図ることができる。
【００８８】
なお、図５に一点鎖線で示すように、２枚の吸込口開閉ダンパが同じ方向に回転する構成では、２枚の吸込口開閉ダンパの先端間距離Ｃが、開き始めから一定の割合で変化し、先端間距離Ｂ＜先端間距離Ｃの関係が成り立つ。
【００８９】
図８は、比較例として、吸込口開閉ダンパが同じ方向に回転する構成におけるダンパ開度と距離及び応力の関係を示すグラフである。比較例では、２枚の吸込口開閉ダンパが全閉位置から開く動作で、開度θが小さい開き始めの開度β１の領域では、第１の吸込口開閉ダンパ及び第２の吸込口開閉ダンパと換気吸込口の先端間距離Ｂの増加量に対し、第１の吸込口開閉ダンパと第２の吸込口開閉ダンパの先端間距離Ｃの増加量が大きい。
【００９０】
これにより、開度β１の領域では、第１の吸込口開閉ダンパと第２の吸込口開閉ダンパの間で発生する粘着応力が大きく、また、第１の吸込口開閉ダンパ及び第２の吸込口開閉ダンパと、換気吸込口の間で発生する粘着応力も徐々に大きくなる。よって、固着応力の和が大きくなる。
【００９１】
従って、第１の吸込口開閉ダンパ及び第２の吸込口開閉ダンパ１６と換気吸込口の間で固着を剥離する動作での負荷のピークと、第１の吸込口開閉ダンパと第２の吸込口開閉ダンパの間で固着を剥離する動作での負荷のピークが重なり、負荷が大きくなる。
【００９２】
以上のように、本実施の形態では、吸込口開閉ダンパが同じ方向に回転する構成と比較して、固着の剥離に必要な力を低く抑えられることで、ダンパ駆動部２０Ａで発生する力に対し、余力を持たせることができる。これにより、ダンパモータ１６Ｍとして小型のものを使用することも可能で、装置の小型化が可能となる。
【００９３】
また、ダンパモータ１６Ｍの駆動軸に直接吸込口開閉ダンパを取り付けるのではなく、ダンパモータ１６Ｍの駆動ギア２１と、第１の吸込口開閉ダンパ１６ＥＡ１の第１のダンパギア２２Ａの組み合わせで所定の減速比を得る構成である。
【００９４】
これにより、ダンパモータ１６Ｍで発生するトルクを増幅でき、第１の吸込口開閉ダンパ１６ＥＡ１及び第２の吸込口開閉ダンパ１６ＥＡ２がより大きな作動トルクで回転できるので、固着が発生している場合に、これを確実に剥離できるようになる。
【産業上の利用可能性】
【００９５】
本発明は、空気の吸込口に開閉可能なダンパを備え、かつ、吸い込まれる空気中に粘着性や固着性のある成分が含まれるような場所に設置される換気装置に適用される。
【符号の説明】
【００９６】
１Ａ・・・換気装置、１１・・・循環ファン、１２・・・換気ファン、１５ＥＡ・・・換気吸込口、１６ＥＡ１・・・第１の吸込口開閉ダンパ、１６ＥＡ２・・・第２の吸込口開閉ダンパ、１６Ｍ・・・ダンパモータ、２１・・・駆動ギア、２２Ａ・・・第１のダンパギア、２２Ｂ・・・第２のダンパギア
【図１】
0005516041.tif 000002
【図２】
0005516041.tif 000003
【図３】
0005516041.tif 000004
【図４】
0005516041.tif 000005
【図５】
0005516041.tif 000006
【図６】
0005516041.tif 000007
【図７】
0005516041.tif 000008
【図８】
0005516041.tif 000009